(57)【要約】紙幣に対する操作性を確保しつつ、集積空間を仕切ることが可能な紙葉類集積庫、現金自動取引装置を提供する。紙葉類の集積空間を複数の集積空間に仕切り、紙葉類の抜き取り位置にくぼみ部を有した仕切り部材と、くぼみ部に対応する位置にくぼみ部を塞ぐ突起部を有し、複数の集積空間を含む開口部を開閉する扉と、を備える。
2016194442.tif 000002
【特許請求の範囲】
【請求項１】
紙葉類の集積空間を複数の集積空間に仕切り、前記紙葉類の抜き取り位置にくぼみ部を有した仕切り部材と、
前記くぼみ部に対応する位置に前記くぼみ部を塞ぐ突起部を有し、前記複数の集積空間を含む開口部を開閉する扉と、
を備えたことを特徴とする紙葉類集積庫。
【請求項２】
前記くぼみ部は前記開口部側に向かって広がる形状であり、前記突起部は前記開口部側に向かって狭くなる形状である、
ことを特徴とする請求項１に記載の紙葉類集積庫。
【請求項３】
前記扉は、前記紙葉類の集積方向に平行して設けられた開閉軸を中心に開閉し、前記開口部側であって前記突起部と前記開閉軸との間に、前記突起部とつながった他の突起部を有し、
前記仕切り部材は、前記開口部側が仕切り面に対して傾斜した案内部を有し、
前記案内部の傾斜側とは反対側に前記他の突起部が入り込むことにより、前記開閉軸を中心に閉じている前記扉を案内する、
ことを特徴とする請求項１に記載の紙葉類集積庫。
【請求項４】
前記突起部は前記くぼみ部よりも大きい形状である、
ことを特徴とする請求項１に記載の紙葉類集積庫。
【請求項５】
請求項１に記載の紙葉類集積庫を備えたことを特徴とする現金自動取引装置。
【発明の詳細な説明】
【技術分野】
【０００１】
本発明は、例えば、金融機関などに設置される現金自動取引装置（ＡＴＭ：Automated Teller Machine）に実装されるような紙幣取扱装置に搭載される紙幣集積庫、現金自動取引装置に関する。
【背景技術】
【０００２】
従来、金融機関などで使用される現金自動取引装置には、紙幣取扱装置が実装されている。この紙幣取扱装置は、利用者が紙幣を投入・取り出す紙幣入出金口と、入金された紙幣もしくは出金される紙幣を判別する紙幣判別部と、入金された紙幣を取引成立までの間一時的に収納する一時保管庫と、紙幣を収納・保管する紙幣収納庫と、上記の各部に紙幣を搬送する紙幣搬送路とが備えられている。紙幣収納庫には、入出金兼用の紙幣を金種別に収納するリサイクル庫、リサイクル庫に対する紙幣の補充およびリサイクル庫から紙幣の回収をする装填庫、紙幣判別部で所定の基準に達しないと判別したリジェクト紙幣を収納するリジェクト庫などがある。リジェクト庫の紙幣は、入金収納でのリジェクトや、出金時のリジェクト、もしくは、取り忘れた紙幣といった用途ごとに、分別して収納することもあることから、複数の部屋で構成されることが望ましい。また、折れ曲がったりくしゃくしゃになった紙幣が集積されることもあり、確実に分別収納されることが必須となる。さらには、装置の大きさは、より小さいほうがよく、そのためにリジェクト庫もできるだけ小型化されることが望ましい。
【先行技術文献】
【特許文献】
【０００３】
【特許文献１】特開２０１３−２０５９４０号公報
【発明の概要】
【発明が解決しようとする課題】
【０００４】
上記特許文献１においては、リジェクト庫を複数に仕切り、例えば上側のリジェクト庫には偽札を収納し、下側のリジェクト庫には、偽札以外の、正常な紙幣とは隔離して収納すべき紙幣を収納するといった運用が提案されている。このようなリジェクト庫の場合、上下を確実に分離する必要があるので、完全に上下を仕切る仕切り板が必要となる。一方で、このリジェクト庫から紙幣を抜き取る時には、仕切り板が邪魔になって抜き取り操作性が悪くなるといった課題がある。【０００５】
本発明は、上記に鑑みてなされたものであって、紙幣に対する操作性を確保しつつ、集積空間を仕切ることが可能な紙葉類集積庫、現金自動取引装置を提供することを目的とする。
【課題を解決するための手段】
【０００６】
上述した課題を解決し、目的を達成するために、本発明にかかる紙葉類集積庫は、紙葉類の集積空間を複数の集積空間に仕切り、前記紙葉類の抜き取り位置にくぼみ部を有した仕切り部材と、前記くぼみ部に対応する位置に前記くぼみ部を塞ぐ突起部を有し、前記複数の集積空間を含む開口部を開閉する扉と、を備えたことを特徴とする紙葉類集積庫として構成される。
【発明の効果】
【０００７】
本発明によれば、紙幣に対する操作性を確保しつつ、集積空間を仕切ることが可能となる。
【図面の簡単な説明】
【０００８】
【図１】現金自動取引装置の外観を示す斜視図。
【図２】現金自動取引装置の制御関係を示すブロック図。
【図３】紙幣搬送路構成の模式図。
【図４】紙幣取扱装置の制御関係を示すブロック図。
【図５（ａ）】入金時の紙幣取扱装置の運用形態を示す側面図。
【図５（ｂ）】入金時の紙幣取扱装置の運用形態を示す側面図。
【図６】入金時の紙幣取扱装置の運用形態を示す側面図。
【図７】出金時の紙幣取扱装置の運用形態例を示す側面図。
【図８】取り忘れ回収時の紙幣取扱装置の運用形態例を示す側面図。
【図９】偽券回収時の紙幣取扱装置の運用形態を示す側面図。
【図１０】本発明に係る紙幣収納庫の斜視図である。
【図１１】本発明に係る仕切り板及び蓋突起の関係を示す上面図である。
【図１２（ａ）】本発明の別の実施例の構成を示す図である。
【図１２（ｂ）】本発明の別の実施例の構成を示す図である。
【図１２（ｃ）】本発明の別の実施例の構成を示す図である。
【図１２（ｄ）】本発明の別の実施例の構成を示す図である。
【発明を実施するための形態】
【０００９】
以下に添付図面を参照して、本発明にかかる紙葉類集積庫、現金自動取引装置の実施の形態を詳細に説明する。
【００１０】
図１は、現金自動取引装置１０１の外観を示す斜視図である。図１に示すように、現金自動取引装置１０１は、装置筐体１０１ｂを有している。該装置筐体１０１ｂの上部内部には、左部に顧客操作部１０５が備えられ、右部にカード・明細票処理機構１０２が備えられている。顧客操作部１０５は、取引の内容を表示および入力する。カード・明細票処理機構１０２は、上部正面板１０１ａに設けられたカードスロット１０２ａと連通して利用者のカードを処理し、取引明細票を印字して放出する。
【００１１】
現金自動取引装置１０１の上部正面板１０１ａには、入出金口（紙幣スロット）２１が設けられている。現金自動取引装置１０１の内部には、紙幣を処理する紙幣取扱装置１が備えられている。紙幣取扱装置１の入出金口以外は、装置筐体１０１ｂとは別の数十ｍｍの厚い鉄板で構成された金庫筐体Ａで囲まれている。
【００１２】
図２は、現金自動取引装置１０１の制御関係を示す制御ブロック図である。現金自動取引装置１０１に納められたカード・明細票処理機構１０２、紙幣取扱装置１および顧客操作部１０５は、バス１０７ａを介して本体制御部１０７と接続されており、本体制御部１０７の制御の下に必要な動作を行う。本体制御部１０７は、上記の他に、インターフェース部１０７ｂ、係員操作部１０７ｃ、外部記憶装置１０７ｄともバス１０７ａで接続されており、必要なデータのやりとりを行うが、本発明の特徴には直接関係がないので詳細な説明は省略する。なお、図２に示した１０１ｅは、上記各機構、構成部に電力を供給する電源部である。
【００１３】
図３は、紙幣取扱装置１の断面図である。紙幣取扱装置１は、入出金口１０と、搬送路２０と、搬送路３０と、判別部８０と、一時保管庫４０と、返却用一時保管庫５０と、収納庫７１〜７５と、回収庫９０とを備える。入出金口１０及び搬送路２０は、金庫Ａの上面に設置される。この他の構成要素は、金庫Ａ内に配置される。入出金口１０は、利用者が紙幣の投入または取り出しを行うためのものである。入出金口１０は、ポケット１０ａとシャッタ１０ｂとを備える。ポケット１０ａは、水平面に対して傾いた状態で紙幣を置くための空間を形成する。搬送路２０及び搬送路３０は、紙幣を搬送する。この搬送は、周知のローラ（図示しない）等を利用して実行される。判別部８０は、双方向に搬送される紙幣の金種および真偽を判別し、その判別結果に基づき、入金された紙幣を返却するか受け付けるかを決定する。一時保管庫４０は、利用者が入金した紙幣を取引成立までの間、一時的に保管する。返却用一時保管庫５０は、入金された紙幣の内、受け付けられないと判断されたものを一時的に保管する。収納庫７１〜７５は、紙幣を金種別に収納する。収納庫７４又は収納庫７５は、入金取引や出金取引の対象ではない紙幣を収納するための保管庫として使用されてもよい。本実施例においては、収納庫７５が、この保管庫として使用される。回収庫９０は、偽札を回収したり、利用者が取り忘れた紙幣を収納したりする。
【００１４】
図４は、紙幣取扱装置１の制御ブロックを示す。紙幣取扱装置１は、図１には図示されていない制御部１６を備える。制御部１６は、主制御部１６１と、メモリ１６２と、上位通信部１６３とを備える。主制御部１６１は、メモリ１６２を利用して、先述した図１に示された各部の動作を制御したり、各部が備えるセンサからの情報（例えば収納された紙幣の数など）を取得したりする。主制御部１６１は、上位通信部１６３を介して、外部装置としてのＡＴＭＰＣ２００と通信する。搬送路２０、３０は、分岐器Ｇ１〜１１と検出センサ１６５と駆動モータ１６６とをそれぞれ複数、備える（詳細については後述）。搬送路３０は、搬送路３０ａ〜３０ｌの総称である。これら搬送路の詳細については後述する。分岐器１６４は、搬送路の分岐点において、何れの分岐先に紙幣を搬送するかを決定する(以降、Ｇ１〜１１、Ｇ２０、Ｇ３０と称する）。分岐器は、電磁ソレノイド等によって動作する。検出センサ１６５は、紙幣の通過や搬送異常に関する検出信号を出力する。駆動モータ１６６は、紙幣を搬送するために回転する。
【００１５】
図５（ａ）、図５（ｂ）は、紙幣取扱装置１における入金計数処理について説明する図である。入金計数処理とは、入出金口１０のポケット１０ａに投入された紙幣を対象にした真偽判別、金種判別および計数のことである。制御部１６は、入金取引処理を開始すると、ポケット１０ａに置かれた紙幣を、一枚ずつ、搬送路２０を通って、搬送路３０に繰り出す。一方で制御部１６は、紙幣を搬送路３０ｂへ搬送するために、分岐器Ｇ１によって搬送路３０ａと３０ｂとを接続し、搬送路３０ｂと判別部８０とを分岐器Ｇ４によって接続する。判別部８０に紙幣が到達すると、判別部８０は、判別部８０内部に実装されたセンサによって紙幣の画像を取得し、紙幣の真偽、金種および正損状態（損傷状態）を判別する。紙幣が判別部８０内を通過すると、制御部１６は、その紙幣を搬送路３０ｃによって搬送する。判別部８０による判別は、この搬送の間に完了する。判別の完了後、制御部１６は、判別結果に応じて分岐器Ｇ３の切り替えを行う。具体的には、受け入れ可能な紙幣であると判別された場合、制御部１６は、分岐器Ｇ３によって搬送路３０ｄを搬送路３０ｅに接続する。この結果、紙幣は一時保管庫４０内に保管される。一方、受け入れ不可能な紙幣であると判別された場合、制御部１６は、分岐器Ｇ３によって搬送路３０ｄを搬送路３０ｆに接続すると共に、分岐器Ｇ６によって搬送路３０ｆを搬送路３０ｇに接続する。この結果、紙幣は搬送路３０ｇを通り、返却用一時保管庫５０に保管される。返却用一時保管庫５０に紙幣が保管された場合、制御部１６は、ポケット１０ａに置かれた紙幣を全て繰り出した後、図５（ｂ）に示すように、分岐器Ｇ６、Ｇ５Ｇ４及び搬送路３０ｇ、３０ｈ、３０ｉを用いて、その紙幣を判別部８０に再び搬送する。この結果、判別部８０による判別が再び実行される。制御部１６は、再度の判別によって受け入れ可能と判別された紙幣を、先述したように一時保管庫４０内に保管する。一方、制御部１６は、受け入れ不可能と再び判別された紙幣を、分岐器Ｇ２、Ｇ１及び搬送路３０ｋ、３０ａを用いて入出金口１０に返却する。このように、一度、受け入れ不可能と判別された紙幣を再び読み込むことによって、受け入れ可能な紙幣を返却してしまう可能性が低減される。制御部１６は、このようにして入出金口１０に投入された全ての紙幣を処理すると、一時保管庫４０に保管した紙幣の合計金額を表示器に表示する。この表示金額と入金した金額とが一致した旨を示す情報が利用者から入力されると、制御部１６は、次に説明するように、一時保管庫４０に一時収納されていた紙幣を、収納庫７１〜７５に収納する（入金収納処理）。
【００１６】
入金収納処理について図６を用いて説明する。制御部１６は、入金収納処理を開始すると、分岐器Ｇ３、Ｇ２、Ｇ４、Ｇ５及び搬送路３０ｅ、３０ｃ、３０ｉ、３０ｈを用いて紙幣を下部に搬送する。制御部１６は、判別部８０によって判別された金種に応じて、分岐器Ｇ７〜Ｇ１１を用いて収納庫７１〜７５の何れかを紙幣の収納先として選択する。
【００１７】
図７は、紙幣取扱装置１における出金取引処理について説明する図である。制御部１６は、出金取引処理を開始すると、金種別に収納された収納庫７１〜７４から紙幣を一枚ずつ繰り出す。続いて制御部１６は、繰り出した紙幣を、搬送路３０ｈ、３０ｉを用いて判別部８０に搬送する。判別部８０は、搬送された紙幣が出金可能か否かを判別する。出金可能な紙幣であると判別された場合、制御部１６は、分岐器Ｇ２を用いて搬送路３０ｃと搬送路３０ｋとを接続する。続いて制御部１６は、搬送路３０ａと搬送路２０とを用いて、その紙幣をポケット１０ａに搬送する。一方、出金不可能な紙幣であると判別された場合、制御部１６は、分岐器Ｇ２を用いて搬送路３０ｃと搬送路３０ｄとを接続する。続いて制御部１６は、搬送路３０ｆ、３０ｇを用いて、その紙幣を収納庫７５に収納する。出金時における紙幣の判別、及び判別結果に基づく分岐器Ｇ２の切り替えは、紙幣が分岐器Ｇ２に到達する前に完了する。出金対象の全ての紙幣がポケット１０ａに搬送された後、制御部１６は、シャッタ１０ｂを開ける。利用者がポケット１０ａに置かれた紙幣を取り去ると、制御部１６は、シャッタ１０ｂを閉じ、出金取引処理を終了する。 
図８は、取り忘れ紙幣の回収処理について説明する図である。回収処理は、出金取引処理によってポケット１０ａに置かれた紙幣を、利用者が取り忘れた場合に、その紙幣を回収庫９０（又は収納庫７４若しくは収納庫７５）に回収するための処理である。制御部１６は、紙幣がポケット１０ａに所定時間、放置された場合、その紙幣を一枚ずつポケット１０ａから搬送路２０へ繰り出す。続いてその紙幣を、搬送路３０ａ、３０ｋ、３０ｃ、３０ｉ、３０ｊ、分岐器Ｇ２０を用いて回収庫９０の上収納庫９０ａへ収納し、回収処理を終える。
【００１８】
次に、入金計数処理時に、判別部８０で偽札が検出された場合における動作の例を説明する。この動作は、入金時に見つかった偽札を、他の紙幣とは別の場所に保管するために実行される。入金取引処理において判別部８０が偽札を検出すると、制御部１６は、他の理由で返却する紙幣といっしょに、返却用一時保管庫５０に一時的に保管する。この保管は、返却用一時保管庫５０に備えられたリール、テープ、ホイール及びローラ等を利用して実行される。制御部１６は、これらの構成を利用し、一枚ずつ紙幣を返却用一時保管庫５０に搬入すると共に、何枚目が偽札であったかをメモリ１６２に記憶する。ポケット１０ａに置かれた全ての紙幣を１回ずつ判別部８０が判別すると、制御部１６は、返却用一時保管庫５０から紙幣を一枚ずつ繰り出す(図９）。偽札と判別された紙幣を繰り出した場合、制御部１６は、搬送路３０ｇ、３０ｆ、３０ｄ、３０ｃ、分岐器Ｇ２０を用いて回収庫９０の下収納庫９０ｂへ搬送する。また、制御部１６は、判別部８０によって、他の理由で返却される紙幣を、搬送路３０ｂ、３０ａを用いてポケット１０ａに搬送する。
【００１９】
以下、回収庫９０について図１０、図１１を用いて、詳細に説明する。図１０は、蓋を開けた状態における回収庫９０の斜視図である。図１１は、回収庫９０の蓋を閉じた状態における後述する仕切り板３０５、くぼみ３０６、突起３０７、３０８の関係を示す上面図である。
【００２０】
回収庫９０は、本体３００、蓋３０１から構成される。蓋３０１は、紙幣の集積方向に平行して設けられた開閉軸である支点３０２を中心に矢印Ｘ方向に開閉する扉状の構成となっており、回収庫９０を構成する集積空間の開口部を開閉する。回収庫９０の内部の集積空間は、仕切り板３０５で、上集積部３０３と下集積部３０４とに分けられている。仕切り板３０５にはくぼみ３０６があり、蓋３０１側である上記開口部側に向かって広がる形状となっている。回収庫９０の奥行き方向の長さＬ１は取り扱う紙幣の最大紙幣のサイズＬ２より若干長くなっており、また、くぼみ３０６の長さＬ２は紙幣とラップするような長さである。回収者が紙幣を回収庫９０から取り出す場合、通常、紙幣の中央部分を持って取り出すことが多いため、図１０ではくぼみ３０６を仕切り板３０５の中央部に設けているが、取り出し位置に対応した位置であれば中央部でなくともよい。
【００２１】
また、蓋３０１には突起３０７が設けられており、蓋３０１から離れる方向である上記開口部側向かってに細くなる形状となっている。具体的には、突起３０７は、蓋３０１の蓋面と垂直方向であって、蓋３０１が閉じた場合における回収庫９０の奥行き方向に、その幅が徐々に狭くなる形状となっている。さらに、図１１に示すように、突起３０７は、くぼみ３０６より若干大きい形状であって、蓋３０１が閉じた時には隙間がないような構造となっている。また、その突起３０７には連続した突起３０８がつながっており、突起３０８は、突起３０７と同方向に蓋３０１から突出している。すなわち、突起３０８は、上記開口部側であって突起部３０７と蓋の支点３０２との間に、突起部３０７とつながって形成されている。突起３０８は、蓋３０１を閉じる時には、仕切り板３０５の蓋３０１側に設けられた傾斜状の案内部３０９に案内されて所定の位置（本図では突起３０７、３０８が案内部３０９、くぼみ３０６の下側に入り込む）になって蓋３０１が閉じられる。
【００２２】
すなわち、仕切り板３０５に設けられた案内部３０９は、仕切り面に対して上集積部３０３側に傾斜し、案内部３０９の蓋３０１側端部の回収庫９０底面からの高さが突起３０８の回収庫９０底面からの高さよりも高くなっている。したがって、蓋３０１が閉じ始めると、突起３０８が支点３０２側から徐々に案内部３０９の下側に入り込み、蓋３０１が閉じられる際には突起３０７がくぼみ３０６の下側に入り込む。言い換えれば、案内部３０９の傾斜側とは反対側に突起部３０８が入り込むことにより、支点３０２を中心に閉じている蓋３０１を案内している。
【００２３】
蓋３０１が閉じられた状態で、上収納部３０３に紙幣４００が集積される場合は、仕切り板３０５のくぼみ３０６は、蓋３０１の突起３０７でふさがっている状態になるので、たとえ紙幣４００が折れ曲がったりくしゃくしゃになってリジェクトされて集積されたとしても、その端が下収納庫側に入り込む隙間が無いので、紙幣４００が下収納庫３０４に間違って入り込むことは無い。さらに、集積された紙幣４００を取り出す場合は、蓋３０１をあけて、くぼみ３０６に指を挿入して紙幣を取り出すことが可能であるため、紙幣を抜き取る際に仕切り板３０５が邪魔になって紙幣の抜き取り操作性を損なうこともなくなる。
【００２４】
このように、本実施例によれば、集積空間を仕切る仕切り板にくぼみを設け、蓋に突起をもうけることで、集積空間から紙幣を取り出す時の紙幣の取り出しやすさを確保すると共に、空間内で仕切られた別の空間に紙幣が移動して脱落することを防止できる。さらに、開いた蓋を閉めるときに突起が所定の位置に戻るように案内することで、荒い操作となって仕切り板に対する突起の位置がずれた場合でも確実に蓋を閉めることができ、破損耐力を向上させることができる。別の実施例として、図１２（ａ）〜（ｄ）に示すように、仕切り板３０５に設けられたくぼみ３０６の形状は長方形や円形、逆の台形形状等でもよい。
【００２５】
以上説明したように、上集積部に紙幣が収納される場合は、仕切り板のくぼみは、蓋の突起でふさがっている状態になるので、その隙間から、たとえ紙幣が折れ曲がったりくしゃくしゃになってリジェクトされたとしても、その端が下収納庫側に入り込む隙間が無いので、紙幣が下収納庫に間違って入り込むことは無く、信頼性の高い紙葉類集積庫を提供することができる。また、くぼみは蓋側に向かって広がる形状であり、また、くぼみと紙幣がいつもラップすることから、紙幣を抜き取る時に手を入れやすい構造になっており、操作性が良い紙葉類集積庫を提供することができる。また、開いた蓋を閉じる時には、仕切り板に設けられた傾斜状の案内部に案内されつつ突起が紙幣の抜き取り位置に戻って蓋が閉まるので、万が一蓋を閉じる時に荒い作業となって仕切り板に対する突起の位置がずれた場合でも、確実に所定の位置で勘合することができ、信頼性の高い紙葉類集積庫を提供することができる。さらには、紙幣サイズと収納庫サイズがほぼ同じとすることで、紙葉類集積庫の小型化を図ることができる。
【００２６】
なお、上記実施例では、本発明にかかる紙葉類集積庫を回収庫に適用した場合について説明したが、これと同様の機能を備えた一時保管庫４０、返却用一時保管庫５０、収納庫７１〜７５等の他の保管庫や収納庫に適用し、上記入金計数処理、入金収納処理、出金取引処理、取り忘れ紙幣の回収処理等の各処理を実行してもよい。
【符号の説明】
【００２７】
1…紙幣取扱装置、１０…入出金口、１０ａ…ポケット、１０ｂ…シャッタ、１６…制御部、２０…搬送路、２１…入金口、３０ａ〜ｌ…搬送路、４０…一時保管庫、５０…返却用一時保管庫、７１〜７５…収納庫、８０…判別部、９０…回収庫、９０ａ…上収納庫、９０ｂ…下収納庫、９１…装填回収庫、１６１…主制御部、１６２…メモリ、１６３…上位通信部、１６４…分岐器、１６５…検出センサ、１６６…駆動モータ、１０１…現金自動取引装置、１０１ａ…上部正面板、１０１ｂ…装置筐体、１０１ｅ…電源部、１０２…カード・明細票処理機構、１０２ａ…カードスロット、１０５…顧客操作部、１０６ａ…金庫扉、１０７…本体制御部、１０７ａ…バス、１０７ｂ…インターフェース部、１０７ｃ…係員操作部、１０７ｄ…外部記憶装置、２００…ＡＴＭＰＣ、Ａ…金庫、Ｇ１〜１１、Ｇ２０、Ｇ３０…分岐器、３００…収納庫本体、３０１…蓋、３０２…支点、３０３…上集積部、３０４…下集積部、３０５…仕切り板、３０６…くぼみ、３０７、３０８…突起、３０９…案内部、４００…紙幣。
【図１】
2016194442.tif 000003
【図２】
2016194442.tif 000004
【図３】
2016194442.tif 000005
【図４】
2016194442.tif 000006
【図５（ａ）】
2016194442.tif 000007
【図５（ｂ）】
2016194442.tif 000008
【図６】
2016194442.tif 000009
【図７】
2016194442.tif 000010
【図８】
2016194442.tif 000011
【図９】
2016194442.tif 000012
【図１０】
2016194442.tif 000013
【図１１】
2016194442.tif 000014
【図１２（ａ）】
2016194442.tif 000015
【図１２（ｂ）】
2016194442.tif 000016
【図１２（ｃ）】
2016194442.tif 000017
【図１２（ｄ）】
2016194442.tif 000018
【国際調査報告】
2016194442.tif 000019
2016194442.tif 000020
2016194442.tif 000021